【手続補正書】
【提出日】平成16年3月30日(2004.3.30)
【手続補正１】
【補正対象書類名】明細書
【補正対象項目名】発明の名称
【補正方法】変更
【補正の内容】
【発明の名称】感光材料処理装置用ローラの軸受部構造及びクリップホルダ
【手続補正２】
【補正対象書類名】明細書
【補正対象項目名】特許請求の範囲
【補正方法】変更
【補正の内容】
【特許請求の範囲】
【請求項１】
一対の側板間に掛け渡されて軸支され、感光材料を挟持して搬送する感光材料処理装置用ローラの軸受構造であって、
前記ローラの軸端部に対向して前記側板に設けられて底部側にローラの軸端部を収容して保持すると共に、所定位置に係合孔が形成された切欠部と、
前記切欠部に前記ローラの軸端部を収容したときに前記ローラの軸端部を所定の位置に保持する保持部材と、
弾性変形することにより前記保持部材を前記切欠部へ挿入可能とすると共に、前記係合孔に係合することにより保持部材の切欠部からの引き出しを阻止するように保持部材に設けられた係合爪と、
前記切欠部に前記保持部材が嵌め込まれることにより弾性変形して保持部材と切欠部の底部の間で前記一対のローラの軸端部を回転可能に保持すると共に、一対のローラの軸端部を互いに接近する方向に付勢する付勢手段と、
を有する感光材料処理装置用ローラの軸受部構造。
【請求項２】
前記切欠部に嵌め込まれて前記ローラの軸端部を回転可能に支持する軸受と、
前記保持部材から接離方向へ移動可能に設けられて保持部材を前記切欠部へ嵌め込んだときに前記軸受に当接する押圧プレートと、
を含むときに、前記付勢手段が前記押圧プレートを前記保持部材から離間する方向へ付勢することを特徴とする請求項１記載の感光材料処理装置用ローラの軸受構造。
【請求項３】
前記付勢手段が、前記ローラの軸端部を軸支する軸受部を含み、前記保持部材と前記切欠部の底部との間で挟持されることにより弾性変形して前記一対のローラの軸端部を互いに接近する方向に付勢することを特徴とする請求項１記載の感光材料処理装置用ローラの軸受構造。
【請求項４】
装着される切欠き部の一端側から挿入される本体と、
前記本体が前記切欠き部に挿入されたときに該切欠き部に形成されている係合孔に入り込んで抜き出しを阻止すると共に、弾性変形されることにより切欠き部からの抜き出しを可能とする係合爪と、
前記本体から前記切欠き部への挿入方向奥側へ向けて突設されると共に本体との接離方向へ移動可能な押圧プレートと、
前記押圧プレートを前記本体から離間する方向へ付勢する付勢手段と、
を含むことを特徴とするクリップホルダ。
【手続補正３】
【補正対象書類名】明細書
【補正対象項目名】０００１
【補正方法】変更
【補正の内容】
【０００１】
本発明は、感光材料を処理する感光材料処理装置に設けられる一対のローラの軸線方向両端部を、一対の側板のそれぞれに回転可能に支持する感光材料搬送用ローラの軸受部構造及びローラ等の保持に用いるクリップホルダに関する。


【手続補正４】
【補正対象書類名】明細書
【補正対象項目名】０００８
【補正方法】変更
【補正の内容】
【０００８】
本発明は上記事実を考慮し、比較的長くかつ重いローラであっても、軸受の側板への着脱作業を簡便とし、特にメンテナンス時の作業効率を向上することができる感光材料搬送用ローラの軸受構造及び、ローラ等の対で設けられる被保持部材の間に所定の付勢力を付与して保持可能とするクリップホルダを得ることが目的である。


【手続補正５】
【補正対象書類名】明細書
【補正対象項目名】０００９
【補正方法】変更
【補正の内容】
【０００９】
【課題を解決するための手段】
請求項１記載の発明は、一対の側板間に掛け渡されて軸支され、感光材料を挟持して搬送する感光材料処理装置用ローラの軸受構造であって、前記ローラの軸端部に対向して前記側板に設けられて底部側にローラの軸端部を収容して保持すると共に、所定位置に係合孔が形成された切欠部と、前記切欠部に前記ローラの軸端部を収容したときに前記ローラの軸端部を所定の位置に保持する保持部材と、弾性変形することにより前記保持部材を前記切欠部へ挿入可能とすると共に、前記係合孔に係合することにより保持部材の切欠部からの引き出しを阻止するように保持部材に設けられた係合爪と、前記切欠部に前記保持部材が嵌め込まれることにより弾性変形して保持部材と切欠部の底部の間で前記一対のローラの軸端部を回転可能に保持すると共に、一対のローラの軸端部を互いに接近する方向に付勢する付勢手段と、を有している。


【手続補正６】
【補正対象書類名】明細書
【補正対象項目名】００１０
【補正方法】変更
【補正の内容】
【００１０】
請求項１に記載の発明によれば、例えば、一対の側板のそれぞれに設けている切欠部へ前記一対のローラの軸端部を収容し、その後に切欠部に保持部材を挿入することにより、係合爪が係合孔に係合して、保持部材がローラの軸端部の抜け止めとなる。


【手続補正７】
【補正対象書類名】明細書
【補正対象項目名】００１１
【補正方法】変更
【補正の内容】
【００１１】
このとき、付勢手段が弾性変形してローラの軸端部を切欠部内の所定位置に保持すると共に、一対のローラの軸端部が互いに接近するように付勢する。この付勢力が、一対のローラのニップ力となり、この一対のローラにより感光材料を確実にニップして搬送することができる。
また、保持部材を取り外すときは、前記係合爪をオペレータ等が意識的に弾性変形させ、係合孔から取出す。この状態で保持部材を切欠部から引き抜くことができ、さらに、ローラの軸端部も切欠部から取り出し可能となる。
【手続補正８】
【補正対象書類名】明細書
【補正対象項目名】００１２
【補正方法】変更
【補正の内容】
【００１２】
請求項２に記載の発明は、前記切欠部に嵌め込まれて前記ローラの軸端部を回転可能に支持する軸受と、前記保持部材から接離方向へ移動可能に設けられて保持部材を前記切欠部へ嵌め込んだときに前記軸受に当接する押圧プレートと、を含み、前記付勢手段が前記押圧プレートを前記保持部材から離間する方向へ付勢することを特徴としている。
請求項２に記載の発明によれば、ローラの軸支する軸受を押圧プレートと切欠部の底部の間で挟持する。このときに、付勢手段が押圧プレートを切欠部の底部へ向けて付勢することにより、軸受を互いに接近する方向へ付勢して、一対のローラ間にニップ力を付与する。
【手続補正９】
【補正対象書類名】明細書
【補正対象項目名】００１３
【補正方法】変更
【補正の内容】
【００１３】
また、請求項３に記載の発明は、前記付勢手段が、前記ローラの軸端部を軸支する軸受部を含み、前記保持部材と前記切欠部の底部との間で挟持されることにより弾性変形して前記一対のローラの軸端部を互いに接近する方向に付勢することを特徴としている。
請求項３に記載の発明によれば、付勢手段に軸受部を形成し、この付勢手段が、保持部材と切欠部の底部の間に挟まれるときに弾性変形し、一対のローラの軸端部が互いに接近するように付勢して保持する。
【手続補正１０】
【補正対象書類名】明細書
【補正対象項目名】００１４
【補正方法】変更
【補正の内容】
【００１４】
このような本発明では、装着される切欠き部の一端側から挿入される本体と、前記本体が前記切欠き部に挿入されたときに該切欠き部に形成されている係合孔に入り込んで抜き出しを阻止すると共に、弾性変形されることにより切欠き部からの抜き出しを可能とする係合爪と、前記本体から前記切欠き部への挿入方向奥側へ向けて突設されると共に本体との接離方向へ移動可能な押圧プレートと、前記押圧プレートを前記本体から離間する方向へ付勢する付勢手段と、を含むクリップホルダを用いることができる。
【手続補正１１】
【補正対象書類名】明細書
【補正対象項目名】００７０
【補正方法】変更
【補正の内容】
【００７０】
【発明の効果】
以上説明した如く本発明では、比較的長くかつ重いローラであっても、側板への着脱作業を簡便とし、特にメンテナンス時の作業効率を向上することができるという優れた効果を有する。


【手続補正１２】
【補正対象書類名】明細書
【補正対象項目名】００７１
【補正方法】変更
【補正の内容】
【００７１】
また、本発明では、弾性力を備えた係合爪によって係合孔への係合、係合解除を簡単に行うことができる。